(57)【要約】【課題】建物の隅角出隅部において、出隅柱に対してコーナー面材を高剛性に取り付けることのできるコーナーフレームと、高剛性のコーナーカバー及び出隅柱とコーナーカバーの取り付け構造を提供すること。【解決手段】建物の出隅柱７０と、二枚の面材１１が一体とされている断面形状がＬ型のコーナー面材１０とを繋ぐ、コーナーフレーム３０，４０，５０であって、出隅柱７０とコーナー面材３０，４０，５０を面的に繋ぐ水平片３１，４１，５１と、水平片３１，４１，５１に対して垂直に延出し、二枚の面材１１に対して直接的もしくは間接的に固定される第一固定片３２，４２，５２とを有し、水平片３１，４１，５１は出隅柱７０の断面形状の隅角部と相補的な形状の切欠き３１ａ，４１ａ，５１ａを有している。【選択図】図３
2020105811.tif 000002
【特許請求の範囲】
【請求項１】
建物の出隅柱と、二枚の面材が一体とされている断面形状がＬ型のコーナー面材とを繋ぐ、コーナーフレームであって、
前記出隅柱と前記コーナー面材を面的に繋ぐ水平片と、
前記水平片に対して垂直に延出し、前記二枚の面材に対して直接的もしくは間接的に固定される第一固定片と、を有し、
前記水平片は、前記出隅柱の断面形状の隅角部と相補的な形状の切欠きを有していることを特徴とする、コーナーフレーム。
【請求項２】
前記切欠きに沿って前記水平片に対して垂直に延出し、前記出隅柱に固定される第二固定片をさらに有し、
前記第二固定片において、前記出隅柱と直接的もしくは間接的にボルト接合されるボルトが挿通されるボルト孔が開設されていることを特徴とする、請求項１に記載のコーナーフレーム。
【請求項３】
前記切欠きに沿って前記水平片に対して垂直に延出し、前記出隅柱に固定される第三固定片をさらに有し、
前記第三固定片において、前記出隅柱と直接的もしくは間接的に係合する係合突起が突設していることを特徴とする、請求項１に記載のコーナーフレーム。
【請求項４】
前記コーナー面材と、
前記コーナー面材の長手方向の頂部に取り付けられているとともに、前記出隅柱の柱頭に取り付けられる、請求項２に記載のコーナーフレームからなる柱頭コーナーフレームと、
前記コーナー面材の長手方向の途中位置に取り付けられているとともに、前記出隅柱の途中位置に当接する、請求項１に記載のコーナーフレームからなる中間コーナーフレームと、
前記コーナー面材の長手方向の底部に取り付けられているとともに、前記出隅柱の柱脚に取り付けられる、請求項３に記載のコーナーフレームからなる柱脚コーナーフレームと、を有することを特徴とする、コーナーカバー。
【請求項５】
前記コーナー面材の背面に、断面形状がＬ型の下地鉄板が取り付けられており、
前記下地鉄板に対して、前記柱頭コーナーフレームと、前記中間コーナーフレームと、前記柱脚コーナーフレームが取り付けられていることを特徴とする、請求項４に記載のコーナーカバー。
【請求項６】
前記出隅柱と、
前記出隅柱の柱頭に取り付けられ、ボルト孔を有している柱頭被取り付け片と、
前記出隅柱の柱脚に取り付けられ、係合溝を有している柱脚被取り付け片と、
請求項４又は５に記載のコーナーカバーと、を有し、
前記柱脚被取り付け片の前記係合溝に対して、前記第三固定片の前記係合突起が係合され、
前記第二固定片と前記柱頭被取り付け片の双方の前記ボルト孔にボルトが挿通されてボルト固定されていることを特徴とする、出隅柱とコーナーカバーの取り付け構造。
【請求項７】
前記柱脚コーナーフレームの有する第三固定片において、前記コーナーカバーの平面内における二方向の位置調整を自在とする位置調整用ボルトがスライド自在に取り付けられていることを特徴とする、請求項６に記載の出隅柱とコーナーカバーの取り付け構造。
【発明の詳細な説明】
【技術分野】
【０００１】
本発明は、コーナーフレーム、コーナーカバー、及び出隅柱とコーナーカバーの取り付け構造に関する。
【背景技術】
【０００２】
鉄骨造住宅等の建物の隅角出隅部においては、二枚の面材が直交する態様で圧着等されてなるコーナー面材（もしくはコーナーパネル）が出隅柱を包囲するように配設されている。コーナー面材は、窯業系サイディングボード等により形成されており、外壁の一般部の面材とコーナー面材を形成する各面材が面一となるようにしてコーナー面材が配設される。出隅柱とコーナー面材は、様々な形態の取り付け金具（もしくは役物）を介して、ビスや螺子等の固定手段により固定される。
【０００３】
ここで、隅角出隅部にある躯体柱の上下二箇所を固定する略Ｌ字状の帯状金具（上記する役物の一例）を介して、躯体柱にコーナーパネルが取り付けられているコーナーパネルの取り付け構造が提案されている。この帯状金具は、その外側に位置する帯状金具の角部において正三角形状に外方へ突出した部分を一体に有し、断面Ｌ字状のコーナーパネルを突出部分に穿設された透孔を挿通するボルトにより固着するとともに、コーナーパネルの下端部を躯体柱の下方に螺着した一対の受け金具により支持するものである（例えば、特許文献１参照）。
【先行技術文献】
【特許文献】
【０００４】
【特許文献１】特開２０００−３８７９１号公報
【発明の概要】
【発明が解決しようとする課題】
【０００５】
特許文献１に記載のコーナーパネルの取り付け構造では、躯体柱の柱頭と柱脚において、それぞれ略Ｌ字状の細長い帯状金具を介してコーナーパネルが躯体柱に取り付けられる構造であることから、剛性の極めて低い取り付け構造と言わざるを得ない。躯体柱とコーナーパネルの取り付け部の剛性が低い場合、例えば地震時に建物に作用する水平力に起因した構造躯体の変形に対してコーナーパネルが追随できず、コーナーパネルに割れが生じ易くなる。
【０００６】
本発明は上記課題に鑑みてなされたものであり、建物の隅角出隅部において、出隅柱に対してコーナー面材を高剛性に取り付けることのできるコーナーフレームと、このコーナーフレームとコーナー面材により形成される高剛性のコーナーカバー、さらに、出隅柱とコーナーカバーにより形成される高剛性の出隅柱とコーナーカバーの取り付け構造を提供することを目的としている。
【課題を解決するための手段】
【０００７】
前記目的を達成すべく、本発明によるコーナーフレームの一態様は、
建物の出隅柱と、二枚の面材が一体とされている断面形状がＬ型のコーナー面材とを繋ぐ、コーナーフレームであって、
前記出隅柱と前記コーナー面材を面的に繋ぐ水平片と、
前記水平片に対して垂直に延出し、前記二枚の面材に対して直接的もしくは間接的に固定される第一固定片と、を有し、
前記水平片は、前記出隅柱の断面形状の隅角部と相補的な形状の切欠きを有していることを特徴とする、コーナーフレーム。
【０００８】
本態様によれば、出隅柱の隅角部と断面形状がＬ型のコーナー面材を面的に繋ぐ水平片を有していることにより、直交する二方向に配向するコーナー面材を出隅柱の特に隅角部に対して高剛性に繋ぐことができる。ここで、コーナーフレームは金物からなり、コーナー面材に対して、水平片から垂直に延出する第一固定片がボルトやビス等により直接的もしくは間接的に接合される。第一固定片が「出隅柱と直接的もしくは間接的にボルト接合される」とは、第一固定片がコーナー面材に直接的にボルト接合される形態と、ボルト孔等を有する下地鉄板等がコーナー面材の背面に取り付けられていて、第一固定片がこの下地鉄板等にボルト接合されることにより、第一固定片がコーナー面材に間接的にボルト接合される形態を含む意味である。
【０００９】
また、本発明によるコーナーフレームの他の態様は、前記切欠きに沿って前記水平片に対して垂直に延出し、前記出隅柱に固定される第二固定片をさらに有し、
前記第二固定片において、前記出隅柱と直接的もしくは間接的にボルト接合されるボルトが挿通されるボルト孔が開設されていることを特徴とする。
【００１０】
本態様によれば、切欠きに沿って水平片から垂直に延出する第二固定片を有することにより、コーナーフレームは、第一固定片を介してコーナー面材に対してボルト接合され、第二固定片を介して出隅柱に対してボルト接合されることとなり、コーナーフレームを介してコーナー面材と出隅柱を面的に接合することができる。ここで、「出隅柱と直接的もしくは間接的にボルト接合される」とは、第二固定片が出隅柱に直接的にボルト接合される形態と、ボルト孔等を有する被取り付け片等が出隅柱に取り付けられていて、第二固定片がこの被取り付け片等にボルト接合されることにより、第二固定片が出隅柱に間接的にボルト接合される形態を含む意味である。
【００１１】
また、本発明によるコーナーフレームの他の態様は、前記切欠きに沿って前記水平片に対して垂直に延出し、前記出隅柱に固定される第三固定片をさらに有し、
前記第三固定片において、前記出隅柱と直接的もしくは間接的に係合する係合突起が突設していることを特徴とする。
【００１２】
本態様によれば、切欠きに沿って水平片に対して垂直に延出する第三固定片を有することにより、コーナーフレームは、第一固定片を介してコーナー面材に対してボルト接合され、第三固定片を介して出隅柱に対して係合される。ここで、「係合」とは、出隅柱に設けられている係合溝、もしくは出隅柱に取り付けられている被取り付け片等の有する係合溝に対して、第三固定片の有する係合突起が係合することを意味している。また、「出隅柱と直接的もしくは間接的に係合する」とは、上記するように、第三固定片の係合突起が出隅柱に設けられている係合溝に直接係合する形態と、出隅柱に取り付けられている被取り付け片等の有する係合溝に係合することにより、第三固定片が出隅柱に間接的に係合される形態を含む意味である。
【００１３】
また、本発明によるコーナーカバーの一態様は、
前記コーナー面材と、
前記コーナー面材の長手方向の頂部に取り付けられているとともに、前記出隅柱の柱頭に取り付けられる、前記コーナーフレームからなる柱頭コーナーフレームと、
前記コーナー面材の長手方向の途中位置に取り付けられているとともに、前記出隅柱の途中位置に当接する、前記コーナーフレームからなる中間コーナーフレームと、
前記コーナー面材の長手方向の底部に取り付けられているとともに、前記出隅柱の柱脚に取り付けられる、前記コーナーフレームからなる柱脚コーナーフレームと、を有することを特徴とする。
【００１４】
本態様によれば、柱頭コーナーフレームと中間コーナーフレームと柱脚コーナーフレームの有する三つの水平片を介して出隅柱とその構成要素であるコーナー面材を繋ぐことにより、コーナー面材を出隅柱の特に隅角部に対して高剛性に繋ぐことができる。ここで、柱頭コーナーフレームは、出隅柱と直接的もしくは間接的にボルト接合されるボルトが挿通される第二固定片を有するコーナーフレームである。また、柱脚コーナーフレームは、出隅柱と直接的もしくは間接的に係合する係合突起が突設している第三固定片を有するコーナーフレームである。さらに、中間コーナーフレームは、第二固定片も第三固定片も備えず、出隅柱の柱頭と柱脚の間の途中位置において、出隅柱の隅角部に対して切欠きが当接するコーナーフレームである。
【００１５】
このように、本態様のコーナーカバーは、柱脚コーナーフレームが出隅柱に対して係合しながら、柱頭コーナーフレームが出隅柱に対してボルト接合等されることにより、その構成要素であるコーナー面材と出隅柱を良好な施工性の下で繋ぐことを可能にする。
【００１６】
また、本発明によるコーナーカバーの他の態様は、
前記コーナー面材の背面に、断面形状がＬ型の下地鉄板が取り付けられており、
前記下地鉄板に対して、前記柱頭コーナーフレームと、前記中間コーナーフレームと、前記柱脚コーナーフレームが取り付けられていることを特徴とする。
【００１７】
本態様によれば、コーナー面材の背面に下地鉄板が取り付けられていることにより、高い剛性に加えて、耐火性能に優れたコーナーカバーとなる。断面形状がＬ型の下地鉄板は、例えば、断面形状がＬ型のコーナー面材の背面の全面に対して、接着剤や、接着剤及び螺子等を介して取り付けられる。また、各コーナーフレームを、コーナー面材ではなく、コーナー面材に取り付けられている下地鉄板に螺子等により取り付けることができる。
【００１８】
また、本発明による出隅柱とコーナーカバーの取り付け構造の一態様は、
前記出隅柱と、
前記出隅柱の柱頭に取り付けられ、ボルト孔を有している柱頭被取り付け片と、
前記出隅柱の柱脚に取り付けられ、係合溝を有している柱脚被取り付け片と、
前記コーナーカバーと、を有し、
前記柱脚被取り付け片の前記係合溝に対して、前記第三固定片の前記係合突起が係合され、
前記第二固定片と前記柱頭被取り付け片の双方の前記ボルト孔にボルトが挿通されてボルト固定されていることを特徴とする。
【００１９】
本態様によれば、柱頭コーナーフレームと中間コーナーフレームと柱脚コーナーフレームの有する三つの水平片を介して出隅柱とコーナー面材が繋がれることにより、高剛性の取り付け構造が形成される。そのため、地震時や台風等の強風時に作用する水平力に起因して、構造躯体やその外側の外壁（隅角出隅部のコーナー面材を含む）が変形した際に、コーナー面材に割れが発生することを抑制もしくは抑止することができる。また、コーナー面材の背面に下地鉄板が取り付けられている場合には、高い剛性に加えて、耐火性能に優れた取り付け構造が形成される。柱頭被取り付け片と柱脚被取り付け片はいずれも、例えば断面形状がＬ型であり、断面形状が例えば正方形の出隅柱の直交する外側の二つの側面に対して係合もしくはボルト接合等により取り付けられる。そして、柱頭コーナーフレームの有する第二固定片と柱頭被取り付け片とが、双方の対応する二面で当接し、この直交する二面においてそれぞれボルト接合されることにより、直交する二方向に延出するコーナーカバーの三次元的な立ち姿勢を二方向に螺合されるボルトにて調整することができる。
【００２０】
また、本発明による出隅柱とコーナーカバーの取り付け構造の他の態様は、前記柱脚コーナーフレームの有する第三固定片において、前記コーナーカバーの平面内における二方向の位置調整を自在とする位置調整用ボルトがスライド自在に取り付けられていることを特徴とする。
【００２１】
本態様によれば、柱脚コーナーフレームの有する第三固定片において位置調整用ボルトがスライド自在に取り付けられていることにより、位置調整用ボルトを張り出させて、例えば隣りの外壁材（窯業系サイディングボード等からなる外装材と下地材、フレーム部材等のユニット材）に反力を取ることにより、コーナーカバーの立ち姿勢を調整することができる。特に、柱脚コーナーフレームにおいて直交する二方向に対応する二つの位置調整用ボルトがスライド自在に取り付けられている形態では、この二つの位置調整用ボルトを張り出させて、それぞれ対応する隣りの外壁材に反力を取ることにより、コーナーカバーの三次元的な立ち姿勢をより一層効率的でかつ高精度に調整することが可能になる。
【発明の効果】
【００２２】
以上の説明から理解できるように、本発明のコーナーフレーム、コーナーカバー、及び出隅柱とコーナーカバーの取り付け構造によれば、建物の隅角出隅部において、コーナー面材を含むコーナーカバーを出隅柱に対して高剛性に繋ぐことができる。
【図面の簡単な説明】
【００２３】
【図１】（ａ）、（ｂ）はいずれも、コーナー面材の背面に対して、下地鉄板を取り付ける方法を説明する斜視図である。
【図２】コーナー面材の背面の下地鉄板に対して、実施形態に係る柱頭コーナーフレームの一例、中間コーナーフレームの一例、柱脚コーナーフレームの一例及びラック用フレームを取り付ける方法を説明する斜視図である。
【図３】実施形態に係るコーナーカバーの一例を背面側から見た斜視図である。
【図４】実施形態に係るコーナーカバーの一例の柱頭部を拡大した斜視図である。
【図５】実施形態に係るコーナーカバーの一例の中間部を拡大した斜視図である。
【図６】実施形態に係るコーナーカバーの一例の柱脚部を拡大した斜視図である。
【図７】出隅柱の柱頭に柱頭被取り付け片が取り付けられ、出隅柱の柱脚に柱脚被取り付け片が取り付けられている状態を示す斜視図である。
【図８】実施形態に係る出隅柱とコーナーカバーの取り付け構造の一例の柱頭部を示す斜視図である。
【図９】取り付け構造の柱頭部を上から見た平面図である。
【図１０】実施形態に係る出隅柱とコーナーカバーの取り付け構造の一例の柱脚部を示す斜視図である。
【図１１】取り付け構造の柱脚部を上から見た平面図である。
【発明を実施するための形態】
【００２４】
以下、実施形態に係るコーナーフレーム、コーナーカバー、及び出隅柱とコーナーカバーの取り付け構造について、添付の図面を参照しながら説明する。尚、本明細書及び図面において、実質的に同一の構成要素については、同一の符号を付することにより重複した説明を省く場合がある。
【００２５】
［実施形態に係るコーナーフレームとコーナーカバー］
はじめに、図１乃至図６を参照して、実施形態に係るコーナーフレームとコーナーカバーの一例について説明する。ここで、図１（ａ）、（ｂ）はいずれも、コーナー面材の背面に対して、下地鉄板を取り付ける方法を説明する斜視図である。また、図２は、コーナー面材の背面の下地鉄板に対して、実施形態に係る柱頭コーナーフレームの一例と中間コーナーフレームの一例と柱脚コーナーフレームの一例と、さらにラック用フレームを取り付ける方法を説明する斜視図である。また、図３は、実施形態に係るコーナーカバーの一例を背面側から見た斜視図であり、図４、図５及び図６はそれぞれ、実施形態に係るコーナーカバーの一例の柱頭部、中間部、及び柱脚部を拡大した斜視図である。尚、以下の説明において、出隅柱の一例を示す図７も適宜参照する。
【００２６】
図１（ａ）、（ｂ）に示すように、断面形状がＬ型をなすコーナー面材１０の背面側（建物に取り付けられた際の室内側）に対して、同様に断面形状がＬ型をなす下地鉄板２０が取り付けられる。ここで、コーナー面材１０は、窯業系サイディングボード等により形成される二枚の面材１１のそれぞれの端部同士が、その長手方向に亘って直交する態様で圧着されることにより一体とされている。コーナー面材１０は、例えば建物の階高程度の高さを有している。
【００２７】
また、下地鉄板２０は、一枚の鉄板を断面形状が略Ｌ型に曲げ加工することにより形成されている。より具体的には、Ｌ型の隅角部においてＬ型の内側に直角三角形状に突出する隅角折り曲げ部２２が形成され、直交する二方向に延びる二枚の鉄板２１の端部には複数の段差を有する固定用段差部２３が形成され、固定用段差部２３には複数の螺子孔２３ａが開設されている。ここで、下地鉄板２０の厚みは、所定の耐火性能を有することのできる０．８ｍｍ以上が好ましく、その中でも可及的に薄い０．８ｍｍに設定されるのがよい。
【００２８】
コーナー面材１０の背面全面に接着剤を塗布し、下地鉄板２０を接着剤の塗布面に敷設するとともに、下地鉄板２０の有する複数の座ぐり螺子孔２４を介して螺子２５をコーナー面材１０に打ち込むことにより、コーナー面材１０の背面全面に下地鉄板２０が固定される。螺子２５の打ち込みに際して発生する切り粉は、座ぐり螺子孔２４の座ぐり内に収容されるようになっており、切り粉によって下地鉄板２０が内側に押し込まれ、膨れ上がることが解消される。
【００２９】
図２に示すように、コーナー面材１０の背面に固定されている下地鉄板２０に対して、三つのコーナーフレーム３０，４０，５０が取り付けられる。すなわち、三つのコーナーフレーム３０，４０，５０は、下地鉄板２０を介してコーナー面材１０に間接的に取り付けられる。
【００３０】
下地鉄板２０の長手方向の頂部（出隅柱の柱頭に相当）に取り付けられる柱頭コーナーフレーム３０は、水平片３１と、水平片３１に対して垂直に延出して下地鉄板２０の二枚の鉄板２１に固定される第一固定片３２とを有する。第一固定片３２は、面材１１と当接する片、隅角折り曲げ部２２との干渉しながら面材１１と当接する二つの片を繋ぐ片、面材１１と当接する片から屈曲して内側に延出する片、内側に延出する片から屈曲して側方に張り出して螺子が挿通される螺子孔３２ａが開設されている片、といった複数の片が相互に屈曲してなる立体形状を有している。
【００３１】
水平片３１には、図７に示す出隅柱７０の断面形状の隅角部と相補的な形状の切欠き３１ａが形成されており、柱頭コーナーフレーム３０は、切欠き３１ａに沿って水平片３１に対して垂直に延出し、出隅柱７０（に取り付けられている図７に示す柱頭被取り付け片７５）に固定される断面形状がＬ型の第二固定片３３をさらに有する。第二固定片３３の直交する各片には、柱頭被取り付け片７５とボルト接合される際のボルトが挿通されるボルト孔３３ａが開設されている。
【００３２】
一方、下地鉄板２０の長手方向の底部（出隅柱の柱脚に相当）に取り付けられる柱脚コーナーフレーム４０は、水平片４１と、水平片４１に対して垂直に延出して下地鉄板２０の二枚の鉄板２１に固定される第一固定片４２とを有する。第一固定片４２は、面材１１と当接する片、隅角折り曲げ部２２との干渉しながら面材１１と当接する二つの片を繋ぐ片、面材１１と当接する片から屈曲して内側に延出する片、内側に延出する片から屈曲して側方に張り出して螺子が挿通される螺子孔４２ａが開設されている片、といった複数の片が相互に屈曲してなる立体形状を有している。
【００３３】
水平片４１には、出隅柱７０の断面形状の隅角部と相補的な形状の切欠き４１ａが形成されており、柱脚コーナーフレーム４０は、切欠き４１ａに沿って水平片４１に対して垂直に延出し、図７に示す柱脚被取り付け片７８に係合される係合突起４４が取り付けられている、断面形状がＷ型の第三固定片４３をさらに有する。
【００３４】
より詳細には、断面形状がＷ型の第三固定片４３において、中央の断面形状がＬ型の二片に開設されているボルト孔４３ａに対して、頭付きボルトからなる係合突起４４が挿通され、ナット締めされている。また、中央の断面形状がＬ型の二片の端部において他の片が屈曲して下地鉄板２０側に延出しており、この他の片に開設されているボルト孔４３ｂに対して、六角ボルトにより形成される位置調整用ボルト４６が挿通され、スライド自在にナット締めされている。
【００３５】
一方、下地鉄板２０の長手方向の頂部と底部の途中位置（出隅柱の途中位置に相当）に取り付けられる中間コーナーフレーム５０は、水平片５１と、水平片５１に対して垂直に延出して下地鉄板２０の二枚の鉄板２１に固定される第一固定片５２とを有する。第一固定片５２は、面材１１と当接する二つの片、これらの片から離れて螺子孔５２ａが開設されている片、といった複数の片を有している。
【００３６】
水平片５１には、出隅柱７０の断面形状の隅角部と相補的な形状の切欠き５１ａが形成されており、柱頭コーナーフレーム３０や柱脚コーナーフレーム４０のように、出隅柱７０に固定される第二固定片３３や第三固定片４３に相当する固定片を有していない。
【００３７】
また、図示例において、下地鉄板２０の長手方向の頂部近傍と底部近傍の二箇所には、断面形状が第三固定片４３と同様にＷ型のラック用フレーム２９が取り付けられるようになっている。ラック用フレーム２９の端片には、螺子孔２９ａが開設されている。このラック用フレーム２９は、工場にて各部材が組み付けられて製作された図３に示すコーナーカバー６０を現場搬送する際に、コーナーカバー６０をラックに搭載して固定する際の固定治具である。
【００３８】
図２に示すように、下地鉄板２０の左右の端片に開設されている複数の螺子孔２６を介して複数の螺子２８が挿通される。そして、柱頭コーナーフレーム３０の螺子孔３２ａ、柱脚コーナーフレーム４０の螺子孔４２ａ、中間コーナーフレーム５０の螺子孔５２ａ、ラック用フレーム２９の螺子孔２９ａにそれぞれ対応する螺子２８が挿通されることにより、各コーナーフレーム３０，４０，５０が下地鉄板２０に固定され、図３乃至図６に示すようにコーナーカバー６０が形成される。尚、図示例の柱頭コーナーフレーム３０は、文字通り、コーナー面材１０のうち、柱頭に対応するコーナー面材１０の頂部に取り付けられるコーナーフレームであり、例えば１階床梁から２階床梁までの長さのコーナーカバー６０の頂部であって柱頭に対応する位置に取り付けられるコーナーフレームである。一方、仮に１階床梁から２階天井に亘る通し柱に対して図示例のコーナーカバー６０が適用される場合、１階床梁から２階床梁の間に配設されるコーナーカバー６０と、さらにその上の２階床梁から２階天井の間に配設される別途のコーナーカバー６０が取り付けられることになる。この場合に、１階床梁から２階床梁の間に配設されるコーナーカバー６０の有する柱頭コーナーフレーム３０は、通し柱の柱頭には位置していないが、当該コーナーカバー６０の頂部に位置していることから、これも柱頭コーナーフレームに含まれるものとする。同様に、この例では、２階床梁から２階天井の間に配設されるコーナーカバー６０の柱脚コーナーフレーム４０は、通し柱の柱脚には位置していないが、当該コーナーカバー６０の脚部に位置していることから、これも柱脚コーナーフレームに含まれるものとする。
【００３９】
図３乃至図６に示すように、説明上、コーナーカバー６０を形成するコーナー面材１０の二枚の面材１１は、それぞれ直交するＸ方向とＹ方向に延出しているものとする。コーナーカバー６０が柱頭コーナーフレーム３０と中間コーナーフレーム５０と柱脚コーナーフレーム４０の有する三つの水平片３１，４１，５１を介して出隅柱７０とその構成要素であるコーナー面材１０を繋ぐことにより、コーナー面材１０を出隅柱７０の隅角部に対して高剛性に繋ぐことができる。特に、図示例のコーナーフレーム３０，４０，５０は、各水平片３１，４１，５１に連続する第一固定片３２，４２，５２がいずれも、コーナー面材１０の背面の下地鉄板２０を形成する二枚の鉄板２１に対して面接触していることから、出隅柱７０とコーナー面材１０をより一層高剛性に繋ぐことができる。
【００４０】
また、コーナーカバー６０において、コーナー面材１０の背面に下地鉄板２０が取り付けられていることにより、高い剛性に加えて、耐火性能に優れたコーナーカバーとなる。さらに、コーナー面材１０に対してではなく、下地鉄板２０に対して各コーナーフレーム３０，４０，５０を固定することにより、コーナー面材１０に多数の螺子が打ち込まれることを抑制でき、特に、コーナー面材１０の端部近傍に螺子が打ち込まれる際に割れが生じるといった問題が解消される。
【００４１】
［実施形態に係る出隅柱とコーナーカバーの取り付け構造］
次に、図７乃至図１１を参照して、実施形態に係る出隅柱とコーナーカバーの取り付け構造の一例について説明する。ここで、図７は、出隅柱の柱頭に柱頭被取り付け片が取り付けられ、出隅柱の柱脚に柱脚被取り付け片が取り付けられている状態を示す斜視図である。また、図８は、実施形態に係る出隅柱とコーナーカバーの取り付け構造の一例のうち、柱頭部の取り付け構造を示す斜視図であり、図９は、柱頭部の取り付け構造を上から見た平面図である。さらに、図１０は、実施形態に係る出隅柱とコーナーカバーの取り付け構造の一例のうち、柱脚部の取り付け構造を示す斜視図であり、図１１は、柱脚部の取り付け構造を上から見た平面図である。
【００４２】
図７には、出隅柱７０の中間部を省略して、その柱頭部と柱脚部を示している。出隅柱７０は、角形鋼管から形成されており、その柱頭と柱脚には、通しダイアフラム７２を介して上下階の柱（図示せず）が接合されるコラムコア７１（パネルゾーン）が溶接接合されている。コラムコア７１の側面には、上下階の梁（図示せず）が溶接接合され得る。
【００４３】
出隅柱７０の柱頭側面の外側の隅角部には、断面形状がＬ型でＸ方向及びＹ方向に延出する柱頭被取り付け片７５が取り付けられている。Ｘ方向及びＹ方向に延出する二つの片のいずれにおいても、ボルト孔７５ａ、７５ｂが開設されている。
【００４４】
一方、出隅柱７０の柱脚側面の外側の隅角部には、断面形状がＬ型でＸ方向及びＹ方向に延出する柱脚被取り付け片７８が取り付けられている。Ｘ方向及びＹ方向に延出する二つの片のいずれにおいても、係合溝７８ａとボルト孔７８ｂが開設されている。
【００４５】
出隅柱７０に固定されている柱脚被取り付け片７８の係合溝７８ａに対して、コーナーカバー６０を形成する柱脚コーナーフレーム４０の有する係合突起４４が係合される。さらに、柱頭被取り付け片７５のボルト孔７５ａに対して、コーナーカバー６０を形成する柱頭コーナーフレーム３０の第二固定片３３のボルト孔３３ａが位置決めされ、双方のボルト孔孔３３ａ、７５ａにボルトが挿通されてボルト接合されることにより、図８乃至図１１に示す取り付け構造９０が形成される。図９に示すように、図示例では、軸方向がＸ方向とＹ方向に沿う二本のボルト孔３３ａ、７５ａに対して、それぞれ六角ボルト８１が外側から挿通され、出隅柱７０側において六角ナット８２にてナット締めされることにより、出隅柱７０とコーナーカバー６０を直交する二方向にて固定することができる。尚、図示を省略するが、取り付け構造９０において、中間コーナーフレーム５０の水平片５１に形成されているＬ型の切欠き５１ａの端面は、出隅柱７０の途中位置において外側の二つの側面に当接される。
【００４６】
また、図９に示すように、コーナーカバー６０側のボルト孔３３ａの孔径を、六角ボルト８１のボルト径よりも大径に製作しておくことにより、コーナーカバー６０の立ち姿勢をＸ方向及びＹ方向の二方向に調整する際の調整代ができ、柱頭部におけるコーナーカバー６０の平面内における位置調整を行うことが可能になる。
【００４７】
また、図８及び図９に示すように、出隅柱７０の隅角部を包囲するコーナーカバー６０のＸ方向及びＹ方向の側方には、一般の外壁材１９が縦目地Ｍを介して配設され、コーナー面材１０の各面材１１と一般の外壁材１９の外装材１０Ａは面一となっている。外壁材１９は、窯業系サイディングボード等により形成される外装材１０Ａ、長尺の平鋼等により形成される縦胴縁１５、外張り断熱材１６、溝形鋼により形成される縦桟と横桟が組み付けられてなるフレーム部材１７、フレーム部材１７の内側に配設される充填断熱材１８等により構成される。そして、縦目地Ｍには、左右に突出する複数組の張り出し片を備えたガスケットＧが嵌め込まれており、一組の張り出し片と面材１１及び外装材１０Ａにより一次止水が形成され、他の一組の張り出し片と外張り断熱材１６及び下地鉄板２１の隅角折り曲げ部２２により二次止水が形成される。
【００４８】
また、図１０及び図１１に示すように、Ｘ方向及びＹ方向に延出する第三固定片４３の二つの片から出隅柱７０側に突出する二つの係合突起４４が、柱脚被取り付け片７８の有する係合溝７８ａに係合される。一方、これら二つの片の端部で屈曲して下地鉄板２０側に延出する、他の片からスライド自在に突出するＸ方向とＹ方向に沿う二つの位置調整用ボルト４６は、図１０に示すように、縦目地Ｍを介して挿入されたレンチＲにより回転できるようになっている。
【００４９】
図１１に示すように、係合溝７８ａの横幅を、係合突起４４のボルト径よりも大きく製作しておくことにより、コーナーカバー６０の立ち姿勢をＸ方向及びＹ方向の二方向に調整する際の調整代が形成される。そして、レンチＲによって位置調整用ボルト４６を回転させ、位置調整用ボルト４６をスライドさせて外側に張り出させることにより、二つの位置調整用ボルト４６をＸ方向及びＹ方向の側方にある二つの外壁材１９の端面に当接させて反力を取りながら、コーナーカバー６０の柱脚部における立ち姿勢を調整することができる。
【００５０】
また、図１１に示すように、第三固定片４３の有するボルト孔７８ｂと、側方にある外壁材１９のフレーム部材１７に開設されているボルト孔１７ａが位置決めされ、ボルト７９が挿通されることにより、出隅柱７０、外壁材１９及びコーナーカバー６０が一体に接合される。
【００５１】
取り付け構造９０によれば、コーナーカバー６０を形成する柱頭コーナーフレーム３０と中間コーナーフレーム５０と柱脚コーナーフレーム４０の有する三つの水平片３１，５１，４１を介して、出隅柱７０とコーナー面材１０が繋がれることにより、高剛性の取り付け構造が形成される。そのため、地震時等に作用する水平力に起因して、構造躯体やその外側の外壁が変形した際に、コーナー面材１０に割れが発生することを抑制もしくは抑止することができる。また、取り付け構造９０では、コーナー面材１０の背面に下地鉄板２０が取り付けられていることにより、高い剛性に加えて、耐火性能に優れた取り付け構造となる。
【００５２】
さらに、図９及び図１１からも明らかなように、例えば割れが生じたコーナー面材１０を取り換える等のメンテナンスの際には、縦目地ＭからガスケットＧを取り外し、外側からドライバー等を挿入して螺子２８を取り外すことにより、コーナー面材１０と下地鉄板２０のみを出隅柱７０から容易に取り外すことができ、メンテナンス性にも優れている。
【００５３】
尚、上記実施形態に挙げた構成等に対し、その他の構成要素が組み合わされるなどした他の実施形態であってもよく、ここで示した構成に本発明が何等限定されるものではない。この点に関しては、本発明の趣旨を逸脱しない範囲で変更することが可能であり、その応用形態に応じて適切に定めることができる。
【００５４】
例えば、図示例のコーナーカバー６０は下地鉄板２０を備えているが、下地鉄板２０を具備しないコーナーカバーであってもよい。また、図示例の取り付け構造９０では、出隅柱７０に取り付けられている柱脚被取り付け片７８と柱頭被取り付け片７５に対して、コーナーカバー６０が係合及びボルト固定されており、従って、出隅柱７０に対してコーナーカバー６０が間接的に取り付けられているが、出隅柱７０に対してコーナーカバー６０が直接的に取り付けられる形態であってもよい。
【符号の説明】
【００５５】
１０：コーナー面材（外装材）、１０Ａ：面材（外装材）、１１：面材、１５：縦胴縁、１６：外張り断熱材、１７：フレーム部材、１８：充填断熱材、１９：外壁材、２０：下地鉄板、２１：鉄板、２２：隅角折り曲げ部、２３：固定用段差部、２４：座ぐり螺子孔、２５：螺子、２６：螺子孔、２８：螺子、２９：ラック用フレーム、３０：柱頭コーナーフレーム（コーナーフレーム）、３１：水平片、３１ａ：切欠き、３２：第一固定片、３３：第二固定片、３３ａ：ボルト孔、４０：柱脚コーナーフレーム（コーナーフレーム）、４１：水平片、４１ａ：切欠き、４２：第一固定片、４３：第三固定片、４４：係合突起、４６：位置調整用ボルト、５０：中間コーナーフレーム（コーナーフレーム）、５１：水平片、５１ａ：切欠き、５２：第一固定片、６０：コーナーカバー、７０：出隅柱（柱）、７５：柱頭被取り付け片、７５ａ，７５ｂ：ボルト孔、７８：柱脚被取り付け片、７８ａ：係合溝、７８ｂ：ボルト孔、８１：六角ボルト（ボルト）、８２：六角ナット（ナット）、９０：取り付け構造（出隅柱とコーナーカバーの取り付け構造）、Ｍ：縦目地、Ｇ：ガスケット、Ｒ：レンチ
【図１】
2020105811.tif 000003
【図２】
2020105811.tif 000004
【図３】
2020105811.tif 000005
【図４】
2020105811.tif 000006
【図５】
2020105811.tif 000007
【図６】
2020105811.tif 000008
【図７】
2020105811.tif 000009
【図８】
2020105811.tif 000010
【図９】
2020105811.tif 000011
【図１０】
2020105811.tif 000012
【図１１】
2020105811.tif 000013